(57)【要約】【課題】開口部の下辺の側端部付近における外壁表面への雨垂れを容易に防止することができる外観意匠性に優れた雨垂れ防止構造を提供すること。【解決手段】建物の開口部２の下辺２１の側端部付近に流れてきた雨水が外壁表面１１１、１１２を伝って垂下することを防止する雨垂れ防止構造１。雨垂れ防止構造１は水切部材４を配設してなる。水切部材４は当接部４１とガイド部４２とを有する。ガイド部４２は上面部４３と前面部４４と屈曲下端部４５と曲面部４６とを有する。水切部材４の後面部４９１の下端には固定用突出片４７が形成してある。当接部４１は、後面部４９１の上端及び固定用突出片４７の下端の２箇所に配設してある。水切部材４は、２箇所の当接部４１を外壁表面１１１、１１２に当接させつつ、固定用突出片４７に設けられたビス穴４７１に挿通したビス１９によって、外壁表面１１１、１１２に固定されている。【選択図】図１
2005213913.tif 000002
【特許請求の範囲】
【請求項１】
建物の開口部の下辺の側端部付近に流れてきた雨水が該開口部の下側の外壁表面を伝って垂下することを防止するための雨垂れ防止構造であって、
該雨垂れ防止構造は、上記開口部の下辺の下側に上記外壁表面より前方へ突出させた水切部材を配設してなり、
該水切部材は、上記外壁表面に当接する当接部と、上記雨水を伝わせるガイド部とを有し、
該ガイド部は、前方下方へ傾斜した上面部と、略鉛直方向に形成された前面部と、該前面部の下端において斜め前方下方へ屈曲した屈曲下端部と、上記上面部と前面部とを滑らかに連結する曲面部とを有し、
また、上記水切部材は、上記上面部と、上記曲面部と、上記前面部と、上記上面部の後端から略鉛直下方に形成された後面部と、該後面部の下端から略水平前方に形成された底面部とによって形成される中空部を有しており、上記後面部の下端からは、下斜め後方に向かって突出した固定用突出片が形成してあり、
上記当接部は、上記後面部の上端及び上記固定用突出片の下端の２箇所に配設してあり、
かつ、上記水切部材は、上記２箇所の当接部を上記外壁表面に当接させつつ、上記固定用突出片に設けられたビス穴に挿通したビスによって、上記外壁表面に固定されていることを特徴とする雨垂れ防止構造。
【請求項２】
請求項１において、上記水切部材は、上記開口部の下辺の下側において、上記開口部の下辺の左端よりも左方の位置から、上記開口部の下辺の右端よりも右方の位置までにわたって配設されていることを特徴とする雨垂れ防止構造。
【請求項３】
請求項１又は２において、上記水切部材は、上記外壁表面より３０ｍｍ以上前方へ突出していることを特徴とする雨垂れ防止構造。
【請求項４】
請求項１〜３のいずれか１項において、上記水切部材は、上記ガイド部の左右側端部に、雨水を堰き止める堰板部を設けてなることを特徴とする雨垂れ防止構造。
【発明の詳細な説明】
【技術分野】
【０００１】
本発明は、建物の窓等の開口部の下辺側端部付近に溜まった雨水が該開口部の下側の外壁表面を伝って垂下することを防止するための雨垂れ防止構造に関する。
【背景技術】
【０００２】
図８、図９に示すごとく、窓等の開口部９２を有する建物においては、その開口部９２の下辺９２１の左右側端部付近に上方より流下してきた雨水が溜まることがある。この雨水は、下方の外壁表面９１１、９１２を伝って流下する。即ち、雨垂れが生ずる。この外壁表面９１１、９１２における雨垂れは凍害発生の原因となり、外壁表面９１１、９１２の塗装が剥がれたり、外壁表面９１１、９１２に亀裂を生じたりするおそれがある。特に寒冷地においては、このような凍害発生のおそれが大きい。
【０００３】
かかる問題に対しては、特許文献１に開示された構造のように、開口部に配設するサッシを外壁表面から大きく突出させて施工する方法を取ることも考えられる。この場合には、雨水は上記サッシの前端から、外壁表面を伝うことなく落下するため、凍害の発生を防止することができる。
【０００４】
しかしながら、上記開口部やサッシ等の構造によっては、上記のごとく外壁表面からサッシを大きく突出させて施工することが困難な場合がある。また、リフォームの場合には、既存サッシが取り付けてある既存開口部の前方に、新たな外壁開口部を形成することとなるため、サッシを新たな外壁開口部よりも前方に突出させることはできない。
また、サッシを大きく突出させると、建物の外観意匠性を損ねるおそれがある。
【０００５】
【特許文献１】特許第２８５８２２２号公報（第１図）
【発明の開示】
【発明が解決しようとする課題】
【０００６】
本発明は、かかる従来の問題点に鑑みてなされたもので、開口部の下辺の側端部付近における外壁表面への雨垂れを容易に防止することができる外観意匠性に優れた雨垂れ防止構造を提供しようとするものである。
【課題を解決するための手段】
【０００７】
本発明は、建物の開口部の下辺の側端部付近に流れてきた雨水が該開口部の下側の外壁表面を伝って垂下することを防止するための雨垂れ防止構造であって、
該雨垂れ防止構造は、上記開口部の下辺の下側に上記外壁表面より前方へ突出させた水切部材を配設してなり、
該水切部材は、上記外壁表面に当接する当接部と、上記雨水を伝わせるガイド部とを有し、
該ガイド部は、前方下方へ傾斜した上面部と、略鉛直方向に形成された前面部と、該前面部の下端において斜め前方下方へ屈曲した屈曲下端部と、上記上面部と前面部とを滑らかに連結する曲面部とを有し、
また、上記水切部材は、上記上面部と、上記曲面部と、上記前面部と、上記上面部の後端から略鉛直下方に形成された後面部と、該後面部の下端から略水平前方に形成された底面部とによって形成される中空部を有しており、上記後面部の下端からは、下斜め後方に向かって突出した固定用突出片が形成してあり、
上記当接部は、上記後面部の上端及び上記固定用突出片の下端の２箇所に配設してあり、
かつ、上記水切部材は、上記２箇所の当接部を上記外壁表面に当接させつつ、上記固定用突出片に設けられたビス穴に挿通したビスによって、上記外壁表面に固定されていることを特徴とする雨垂れ防止構造にある（請求項１）。
【０００８】
次に、本発明の作用効果につき説明する。
上記雨垂れ防止構造は、開口部の下辺の下側に上記水切部材を配設してなる。これにより、上方より上記開口部の下辺の側端部付近に流下してきた雨水は、必ず上記水切部材の上に落下し、外壁表面の前方へ導かれ排水される。そのため、開口部の下側の外壁表面における雨垂れを確実に防止することができる。
【０００９】
また、上記水切部材は、上記上面部、前面部、屈曲下端部、曲面部を有するガイド部を形成してなる。そして、該ガイド部における上面部に、上記開口部側端部付近に流れてきた雨水が落下する。
上記上面部は前方下方へ傾斜しているため、上面部に落下した雨水は前方下方へ導かれることとなる。また、上記上面部の前端においては、上記曲面部を介して前面部が形成されている。そのため、上記上面部の前端へ導かれた雨水は、上記曲面部を伝って滑らかに前面部に達し、該前面部を伝って下方へ導かれる。
【００１０】
また、該前面部の下端に形成された屈曲下端部は、斜め前方下方へ屈曲しているため、上記前面部を伝って落下してきた雨水は、上記屈曲下端部によって斜め前方下方へ弾かれるように排水される。それ故、雨水が外壁表面に付着することを確実に防ぐことができる。
これにより、開口部の下辺の側端部付近における外壁表面に雨垂れが生ずることを防止することができ、雨垂れを原因とする凍害の発生を確実に防止することができる。
【００１１】
また、上記水切部材は、例えば施工後の外壁表面にも取り付けることができるため、上記雨垂れ防止構造は容易に構築することができる。
また、上記水切部材は上記ガイド部に曲面部を有しているため、良好な水捌けと良好な外観意匠性を確保することができる。
【００１２】
また、上記当接部は、後面部の上端及び固定用突出片の下端の２箇所に配設してあり、上記水切部材は、上記２箇所の当接部を外壁表面に当接させつつ該外壁表面に固定される。それ故、外壁表面に凹凸が形成されている場合、一方の当接部のみが凹部あるいは凸部に配置されても、水切部材を大きく傾斜させることなく、外壁表面に固定することができる。なお、この作用効果の詳細については後述する。
【００１３】
また、上記水切部材は、上記後面部の下端に固定用突出片を設けると共に該固定用突出片にビス孔を穿設してなり、該ビス孔に挿通したビスによって上記外壁表面に固定されている。それ故、上記水切部材を容易に外壁表面に固定することができる。
また、上記ビス孔（ビス）は、上記屈曲下端部によって表面側から隠されて見えにくくなり、外観意匠性の低下を防ぐことができる。更に、上記固定用突出片へは雨水が伝わらないので、ビス孔から雨水が浸入するおそれもない。
【００１４】
以上のごとく、本発明によれば、開口部の下辺の側端部付近における外壁表面への雨垂れを容易に防止することができる外観意匠性に優れた雨垂れ防止構造を提供することができる。
【発明を実施するための最良の形態】
【００１５】
上記第１の発明（請求項１）において、上記開口部としては、例えば、窓、換気設備設置箇所等がある。また、上記外壁表面は、例えば窯業系外壁板によって構成される。
【００１６】
また、上記水切部材は、上記開口部の下辺の下側において、上記開口部の下辺の左端よりも左方の位置から、上記開口部の下辺の右端よりも右方の位置までにわたって配設されていることが好ましい（請求項２）。
この場合には、上記開口部付近に流れてきた雨水を確実に外壁表面の前方へ排水し、雨垂れを確実に防止することができる。また、上記水切部材が上記開口部に配設されるサッシ等と、外観上一体化し、外壁表面の良好な外観意匠性を確保することができる。
【００１７】
上記水切部材の上記開口部の下辺の左端及び右端からの左右への突出量は、雨垂れ防止効果と外観意匠性とを損なうことがない範囲で任意に設計可能であるが、例えば２０〜３０ｍｍ程度とすることにより、それらを充分に満足することができる。
【００１８】
また、上記水切部材は、上記外壁表面より３０ｍｍ以上前方へ突出していることが好ましい（請求項３）。
即ち、上記前面部の下端が上記外壁表面から３０ｍｍ以上前方に配されていることが好ましい。この場合には、雨垂れをより確実に防止することができる。
上記水切部材の外壁表面からの突出量が３０ｍｍ未満の場合には、上記水切部材を伝って落下した雨水が外壁表面へ付着することを確実に防ぐことが困難となるおそれがある。
なお、上記水切部材の外壁表面からの突出量の上限は、外観意匠性等を損なわない範囲で、任意に設計可能である。
【００１９】
また、上記水切部材は、上記ガイド部の左右側端部に、雨水を堰き止める堰板部を設けてなることが好ましい（請求項４）。
この場合には、上記ガイド部に落下した雨水が上記ガイド部の左右側端部から流下して外壁表面を伝うことを防ぐことができる。
【実施例】
【００２０】
（実施例１）
本発明の実施例にかかる雨垂れ防止構造につき、図１〜図４を用いて説明する。
本例の雨垂れ防止構造１は、特に、建物の開口部２の下辺２１の左右側端部付近に雨水が溜まり、開口部２の下側の外壁表面１１１、１１２を伝って垂下することを防止するための構造である。
【００２１】
該雨垂れ防止構造１は、図１〜図３に示すごとく、上記開口部２の下辺２１の下側に上記外壁表面１１１、１１２より前方へ突出させた水切部材４を配設してなる。
該水切部材４は、図１、図４に示すごとく、上記外壁表面１１１、１１２に当接する当接部４１と、上記雨水を伝わせるガイド部４２とを有する。
該ガイド部４２は、前方下方へ傾斜した上面部４３と、略鉛直方向に形成された前面部４４と、該前面部４４の下端において斜め前方下方へ屈曲した屈曲下端部４５と、上記上面部４３と前面部４４とを滑らかに連結する曲面部４６とを有する。
【００２２】
また、図１、図４に示すごとく、上記水切部材４は、上記上面部４３と、上記曲面部４６と、上記前面部４４と、上記上面部４３の後端から略鉛直下方に形成された後面部４９１と、該後面部４９１の下端から略水平前方に形成された底面部４９２とによって形成される中空部４０を有している。上記後面部４９１の下端からは、下斜め後方に向かって突出した固定用突出片４７が形成してある。
【００２３】
上記当接部４１は、上記後面部４９１の上端及び上記固定用突出片４７の下端の２箇所に配設してある。
上記水切部材４は、上記２箇所の当接部４１を外壁表面１１１、１１２に当接させつつ、固定用突出片４７に設けられたビス穴４７１に挿通したビス１９によって、外壁表面１１１、１１２に固定されている。
【００２４】
また、図２に示すごとく、上記水切部材４は、上記開口部２の下辺２１の下側において、上記開口部２の下辺２１の左端より左方２０〜３０ｍｍの位置から、上記開口部２の下辺２１の右端より右方２０〜３０ｍｍの位置までにわたって配設されている。
また、上記水切部材４は、上記外壁表面１１１、１１２より約３０ｍｍ前方へ突出している。即ち、上記前面部４４の下端が上記外壁表面１１１、１１２から約３０ｍｍ前方に配されている。
【００２５】
また、上記のごとく、固定用突出片４７はその下端が斜め後方へ向かうように傾斜した状態で形成されており、上記ビス１９は、斜め上方へ向かって、窯業系の外壁板１１に、或いは該外壁板１１を介してその下地材である胴縁１２にまでねじ込まれている。上記固定用突出片４７は外壁表面１１１、１１２に当接している。
また、図２、図３に示すごとく、上記水切部材４は、上記ガイド部４２の左右側端部に、雨水を堰き止める堰板部４８を設けてなる。
【００２６】
上記開口部２は図２に示すような窓であり、該開口部２には、サッシ３が建物の構造躯体１３に固定された状態で配設されている。また、上記開口部２の下辺２１の下側においては、図１に示すごとく、外壁板１１が下地材としての胴縁１２を介して構造躯体１３に固定されている。
そして、図１に示すごとく、上記サッシ３は、上記外壁板１１の上方に固定されている。上記サッシ３の前端は、外壁表面１１１、１１２よりも若干前方へ突出している。
【００２７】
図１に示すごとく、上記開口部２の下辺２１の下側、即ち上記外壁板１１の上端部における外壁表面１１１、１１２には、上記水切部材４が配設されている。該水切部材４と上記サッシ３の下端部との間には、防水のためのシーリング材１５が打設されている。
【００２８】
図１、図４に示すごとく、上記水切部材４は、アルミを押出成形してなる中空長尺体である。そして、上記上面部４３の下面側には、上記堰板部４８を取り付けるためのネジを螺合させるネジ孔４３１が形成されている。そして、個別に成形した堰板部４８を、水切部材４の本体の左右側端部にネジにより固定することにより、上記水切部材４が組み立てられている。
【００２９】
次に、本例の作用効果につき説明する。
上記雨垂れ防止構造１は、図１〜図３に示すごとく、開口部２の下辺２１の下側に上記水切部材４を配設してなる。これにより、上記開口部２の下辺２１の側端部付近に流れてきた雨水は、上記水切部材４の上に落下し、外壁表面１１１、１１２の前方下方へ導かれる。そのため、開口部２の下側の外壁表面１１１、１１２における雨垂れを確実に防止することができる。
【００３０】
また、上記水切部材４は、上記上面部４３、前面部４４、屈曲下端部４５、曲面部４６を有するガイド部４２を形成してなる。そして、該ガイド部４２における上面部４３に、上記開口部２の側辺を流下してくる雨水が落下する。
図１に示すごとく、上記上面部４３は前方下方へ傾斜しているため、上面部４３に落下した雨水は前方下方へ導かれることとなる。また、上記上面部４３の前端においては、上記曲面部４６を介して前面部４４が形成されている。そのため、上面部４２の前端へ導かれた雨水は、曲面部４６を伝って滑らかに前面部４４に達し、該前面部４４を伝って下方へ導かれる。
【００３１】
また、該前面部４４の下端に形成された屈曲下端部４５は、斜め前方下方へ屈曲しているため、上記前面部４４を伝って落下してきた雨水は、上記屈曲下端部４５によって斜め前方下方へ弾かれるように排水される。それ故、雨水が外壁表面１１１、１１２に付着することを確実に防ぐことができる。
これにより、外壁表面１１１、１１２に雨垂れが生ずることを防止することができ、雨垂れを原因とする凍害の発生を防止することができる。
【００３２】
また、上記水切部材４は、外壁施工後に外壁表面１１１、１１２に取り付けることができるため、上記雨垂れ防止構造１を容易に構築することができる。
また、上記水切部材４は上記ガイド部４２に曲面部４６を有しているため、良好な水捌けと、良好な外観意匠性を確保することができる。
【００３３】
また、上記当接部４１は、後面部４９１の上端及び固定用突出片４７の下端の２箇所に配設してあり、上記水切部材４は、上記２箇所の当接部４１を外壁表面１１１、１１２に当接させつつ該外壁表面１１１、１１２に固定される。それ故、図５に示すごとく、外壁表面１１１、１１２に凹部１１３が形成されている場合、一方の当接部４１のみが凹部１１３に配置されても、水切部材４を大きく傾斜させることなく、外壁表面１１１、１１２に固定することができる。
【００３４】
このように、外壁表面１１１、１１２が平坦でない場合にも、水切部材４が大きく傾斜しないため、開口部２の下方の外観を損ねるおそれがない。
また、２箇所の当接部４１を確実に外壁表面１１１、１１２に当接させることができるため、雨垂れを充分に防止することができる。
また、水切部材４が大きく傾斜しないことにより、屈曲下端部４５の傾斜角度が本来の傾斜角度、即ち雨水を前方下方へ効果的に弾くことができる傾斜角度（例えば鉛直方向に対して４０〜５０°）からずれることを防ぐことができる。それ故、水切部材４の上面部４３に落下した雨水を、屈曲下端部４５から前方下方へ弾いて、雨垂れを充分に防止することができる。
【００３５】
また、図２に示すごとく、上記水切部材４は、開口部２の下辺２１の全長を超える範囲でその下側に配設されている。そのため、上記開口部２の側辺を伝って流下する雨水を確実に外壁表面１１１、１１２の前方下方へ排水し、雨垂れを確実に防止することができる。また、上記水切部材４が上記開口部２に配設されるサッシ３と、外観上一体化し、外壁表面１１１、１１２の良好な外観意匠性を確保することができる。
【００３６】
また、上記水切部材４は、上記外壁表面１１１、１１２より約３０ｍｍ前方へ突出しているため、雨垂れをより確実に防止することができる。
また、上記水切部材４は、上記当接部４１の下方部分に固定用突出片４７を設けると共に該固定用突出片４７にビス孔４７１を穿設してなる。そして、上記水切部材４は、該ビス孔４７１に挿通したビス１９によって上記外壁表面１１１、１１２に固定されている。そのため、上記水切部材４を容易に外壁表面１１１、１１２に固定することができる。
【００３７】
また、図２、図３に示すごとく、上記水切部材４は上記堰板部４８を設けてなるため、上記ガイド部４２に落下した雨水がガイド部４２の左右側端から流下して外壁表面１１１、１１２を伝うことを確実に防ぐことができる。
【００３８】
以上のごとく、本例によれば、開口部の下辺の側端部付近における外壁表面への雨垂れを容易に防止することができる外観意匠性に優れた雨垂れ防止構造を提供することができる。
【００３９】
（実施例２）
本例は、図６に示すごとく、水切部材４を、開口部２の下辺２１の左右側端部における下側に配設した雨垂れ防止構造１の例である。
その他は、実施例１と同様である。
この場合には、部材コストを下げ、雨垂れを効果的に防止することができる。即ち、上方より開口部２の下辺２１の側端部付近に流下してきた雨水は、上記水切部材４を使用することにより確実に排水されるので、効果的に雨垂れを防止することができる。
その他、実施例１と同様の作用効果を有する。
【００４０】
（実施例３）
本例は、リフォームした建物における開口部の下辺の下側に、水切部材を配設した雨垂れ防止構造の例である。
即ち、既存のサッシが取り付けてある既存の開口部の前方に、新たな外壁の開口部を形成し、その下側に上記水切部材を配設する。
その他は、実施例１と同様である。
【００４１】
リフォームの場合には、既存のサッシが取り付けてある既存の開口部の前方に、新たな外壁の開口部を形成するため、上記既存のサッシを新たな開口部よりも前方に突出させることができない。
それ故、上記水切部材を取り付けることにより、効果的に雨垂れを防止することができる。
その他、実施例１と同様の作用効果を有する。
【００４２】
（比較例）
本例は、図７に示すごとく、後面部４９１の上端および固定用突出片４７の下端に加え、底面部４９２の後方にも当接部４１０を設けた水切部材４０を用いた、雨垂れ防止構造１０の例である。
即ち、本例の水切部材４は、後面部４９１の上端および固定用突出片４７の下端にそれぞれ設けた当接部４１、及び上記底面部４９２の後方の当接部４１０の３箇所に、当接部が形成されている。
その他は、実施例１と同様である。
【００４３】
この場合、図７に示すごとく、外壁表面１１１、１１２に凹部１１３が形成されているなど、平坦でないと、以下の問題が生ずるおそれがある。即ち、固定用突出部４７の下端の当接部４１だけが溝部１１３に配置された状態で、ビス１９によって水切部材４を固定すると、該水切部材４が大きく傾斜してしまう。これにより、開口部２の下方の外観を損ねるおそれがある。そして、場合によっては、水切部材４の上部が外壁表面１１１、１１２から離れてしまい、雨垂れを充分に防止することが困難となるおそれがある。
【００４４】
また、水切部材４が大きく傾斜すると、屈曲下端部４５の傾斜角度が本来の傾斜角度、即ち雨水を前方下方へ効果的に弾くことができる傾斜角度（例えば鉛直方向に対して４０〜５０°）からずれてしまう。それ故、水切部材４の上面部４３に落下した雨水は、屈曲下端部４５から前方下方へ弾かれずに、外壁表面１１１、１１２の方へ巻き込まれて、外壁表面１１１、１１２に付着してしまうおそれがある。
【００４５】
これに対し、本発明（実施例１）のように、当接部４１の配設箇所を後面部４９１の上端および固定用突出片４７の下端の２箇所とすることにより、上述したごとく、溝部１１３が形成されている場合など、外壁表面１１１、１１２が平坦でない場合にも、水切部材４を大きく傾斜させることなく、外壁表面１１１、１１２に固定することができる（図５）。それ故、外壁表面１１１、１１２に多少の凹凸があっても、雨垂れを確実に防止する雨垂れ防止構造１を得ることができる。
【００４６】
以上のごとく、本発明によれば、開口部の下辺の側端部付近における外壁表面への雨垂れを容易に防止することができる外観意匠性に優れた雨垂れ防止構造を提供することができる。
【図面の簡単な説明】
【００４７】
【図１】実施例１における、雨垂れ防止構造の断面図。
【図２】実施例１における、雨垂れ防止構造の正面図。
【図３】実施例１における、開口部の下辺及び水切部材の左端部の斜視図。
【図４】実施例１における、水切部材の断面斜視図。
【図５】実施例１における、雨垂れ防止構造の作用効果の説明図。
【図６】実施例２における、雨垂れ防止構造の正面図。
【図７】比較例における、底面部の後方にも当接部が形成されていた場合に生じうる問題の説明図。
【図８】従来例における、雨垂れ防止構造の断面図。
【図９】従来例における、雨垂れ防止構造の正面図。
【符号の説明】
【００４８】
１  雨垂れ防止構造
１１  外壁板
１１１、１１２  外壁表面
２  開口部
２１  下辺
３  サッシ
４  水切部材
４１  当接部
４２  ガイド部
４３  上面部
４４  前面部
４５  屈曲下端部
４６  曲面部
４７  固定用突出片
４９１  後面部
４９２  底面部
【図１】
2005213913.tif 000003
【図２】
2005213913.tif 000004
【図３】
2005213913.tif 000005
【図４】
2005213913.tif 000006
【図５】
2005213913.tif 000007
【図６】
2005213913.tif 000008
【図７】
2005213913.tif 000009
【図８】
2005213913.tif 000010
【図９】
2005213913.tif 000011